(57)【特許請求の範囲】
【請求項１】
着用者の胴回りの体型を補整するホックレスタイプの補整衣類であって、
前記胴回りを包囲可能となるように、前側部分、後側部分、及び左右の脇側部分によって筒状をなす本体部を備え、
前記本体部は、周方向に交互に配置された非伸縮部及び伸縮部を有し、
前記非伸縮部は、少なくとも前記周方向について非伸縮性を有し、前記前側部分における前中心ラインを含むように帯状に延在する第１の非伸縮部と、前記脇側部分における脇中心ラインを含むように帯状に延在する第２の非伸縮部と、前記後側部分における後中心ラインを含むように帯状に延在する第３の非伸縮部とによって構成され、
前記伸縮部は、少なくとも前記周方向について伸縮性を有し、前記第１の非伸縮部と前記第２の非伸縮部との間で帯状に延在する第１の伸縮部と、前記第２の非伸縮部と前記第３の非伸縮部との間で帯状に延在する第２の伸縮部とによって構成されている補整衣類。
【請求項２】
前記第２の非伸縮部における前記周方向の縁部及び前記第３の非伸縮部における前記周方向の縁部には、隣接する伸縮部との境界部分に沿って芯材が配置されている請求項１記載の補整衣類。
【請求項３】
前記第２の非伸縮部は、前記本体部の下方側に向かって裾広がりとなっている請求項１又は２記載の補整衣類。
【請求項４】
前記第１の非伸縮部は、前記本体部の下方側に向かって裾狭まりとなっている請求項１〜３のいずれか一項記載の補整衣類。
【請求項５】
前記第３の非伸縮部は、一定の幅で延在している請求項１〜４のいずれか一項記載の補整衣類。
【請求項６】
前記第３の非伸縮部は、３．０ｃｍ〜６．０ｃｍの範囲の幅で延在している請求項１〜４のいずれか一項記載の補整衣類。
【請求項７】
前記伸縮部は、伸縮性を有する表生地と、伸縮性を有すると共に前記表生地よりも大きな回復力を有する裏生地とによって構成され、
前記裏生地の下縁部は、前記表生地の下縁部よりも上側に位置し、かつ前記表生地に対して非結合となっている請求項１〜６のいずれか一項記載の補整衣類。
【発明の詳細な説明】
【技術分野】
【０００１】
本発明は、着用者の体型を補整する補整衣類に関する。
【背景技術】
【０００２】
従来の補整衣類として、例えば特許文献１に記載の姿勢補整用被服がある。この補整衣類では、左右の当て布片と、当て布間を連結する繋ぎ片とによって筒状の本体部が構成されている。当て布は非伸縮性の生地によって形成され、繋ぎ片は伸縮性の生地によって形成されている。また、例えば特許文献２に記載のウエストニッパーでは、背面部の上縁を凸弧状に形成すると共に、左右の前側布の下部裏面に非伸縮性の腹当て布を縫着している。
【先行技術文献】
【特許文献】
【０００３】
【特許文献１】特開２０００−０００２５８号公報
【特許文献２】実用新案登録第３０７０３６１号公報
【発明の概要】
【発明が解決しようとする課題】
【０００４】
上述のような補整衣類は、非伸縮性の生地で押さえることで着用者の腹部や腰部を引き締め、腰部周りのくびれなどを造形するものである。しかしながら、特許文献１の構成では腹部の下部のみに非伸縮性の生地が配置され、特許文献２の構成では腹部の脇側のみに非伸縮性の生地が配置されている。このような構成では、体型補整効果が限定的であり、一層優れた補整効果を奏するには更なる工夫が必要と考えられる。一方、非伸縮性の生地の配置領域を拡大すると、体型補整効果自体は高くなるが、胴回りの締め付けが過剰となり、着心地が悪化してしまうおそれがある。
【０００５】
本発明は、上記課題の解決のためになされたものであり、優れた体型補整効果と着心地の良さとを両立できる補整衣類を提供することを目的とする。
【課題を解決するための手段】
【０００６】
本発明の一側面に係る補整衣類は、着用者の胴回りの体型を補整する補整衣類であって、胴回りを包囲可能となるように、前側部分、後側部分、及び左右の脇側部分によって筒状をなす本体部を備え、本体部は、周方向に交互に配置された非伸縮部及び伸縮部を有し、非伸縮部は、少なくとも周方向について非伸縮性を有し、前側部分における前中心ラインを含むように帯状に延在する第１の非伸縮部と、脇側部分における脇中心ラインを含むように帯状に延在する第２の非伸縮部と、後側部分における後中心ラインを含むように帯状に延在する第３の非伸縮部とによって構成され、伸縮部は、少なくとも周方向について伸縮性を有し、第１の非伸縮部と第２の非伸縮部との間で帯状に延在する第１の伸縮部と、第２の非伸縮部と第３の非伸縮部との間で帯状に延在する第２の伸縮部とによって構成されている。
【０００７】
この補整衣類では、前側部分の第１の非伸縮部が着用者の腹部の正面側を押さえ、脇側部分の第２の非伸縮部が着用者の腹部の脇側を押さえることで、腰部周りのくびれなどが美しく造形される。また、後側部分の第３の非伸縮部が着用者の背骨に沿うことで着用者の姿勢が矯正され、体型補整効果を更に際立たせることができる。また、この補整衣類では、第１の非伸縮部と第２の非伸縮部との間に配置された第１の伸縮部と、第２の非伸縮部と第３の非伸縮部との間に配置された第２の伸縮部とによって胴回りの締め付け力が緩和される。したがって、体型補整効果を維持しつつ、着心地の良さも確保できる。
【０００８】
また、第２の非伸縮部における周方向の縁部及び第３の非伸縮部における周方向の縁部には、隣接する伸縮部との境界部分に沿って芯材が配置されていてもよい。このような芯材の配置により、着用時の第２の非伸縮部及び第３の非伸縮部の保形性が向上し、着崩れによって体型補整効果が失われることを抑制できる。
【０００９】
また、第２の非伸縮部は、本体部の下方側に向かって裾広がりとなっていてもよい。この場合、第２の非伸縮部が着用者の腹部の脇側のライン及び腰部の脇側のラインに好適にフィットする。したがって、体型補整効果を更に向上できる。
【００１０】
また、第１の非伸縮部は、本体部の下方側に向かって裾狭まりとなっていてもよい。この場合、第１の非伸縮部によって押さえられることによる脇腹の息苦しさを緩和できる。したがって、着心地の良さを向上できる。
【００１１】
第３の非伸縮部は、一定の幅で延在していてもよい。この場合、第３の非伸縮部が着用者の背骨のラインに好適にフィットする。したがって、着用者の姿勢が保持され、体型補整効果を更に向上できる。
【００１２】
第３の非伸縮部は、３．０ｃｍ〜６．０ｃｍの範囲の幅で延在していてもよい。第３の非伸縮部の幅が広すぎると、背骨が第３の非伸縮部に対してずれ易くなり、姿勢の矯正効果が損なわれるおそれがある。また、第３の非伸縮部の幅が狭すぎると、背骨に対する圧迫感が増し、着心地が悪化するおそれがある。したがって、第３の非伸縮部の幅を上記範囲とすることで、姿勢の矯正効果と着心地とを両立できる。
【００１３】
また、伸縮部は、伸縮性を有する表生地と、伸縮性を有すると共に表生地よりも大きな回復力を有する裏生地とによって構成され、裏生地の下縁部は、表生地の下縁部よりも上側に位置し、かつ表生地に対して非結合となっていてもよい。伸縮性を有する表生地と伸長回復性を有する裏生地とを組み合わせて伸縮部を構成することで、非伸縮部による体型補整効果を阻害することなく、胴回りの締め付け力を緩和できる。また、裏生地の下縁部が表生地の下縁部よりも上側の位置で表生地に対して非結合となっていることで、伸縮部の下縁部が着用者の胴回りの形状の変化に追従し易くなる。これにより、例えば着座姿勢において腹部の肉が本体部の下縁部からはみ出ることや、着用時に胴回りのシルエットに段が生じることを抑制できる。
【発明の効果】
【００１４】
この補整衣類によれば、優れた体型補整効果と着心地の良さとを両立できる。
【図面の簡単な説明】
【００１５】
【図１】補整衣類の一実施形態を示す正面図である。
【図２】図１に示した補整衣類の側面図である。
【図３】図１に示した補整衣類の背面図である。
【発明を実施するための形態】
【００１６】
以下、図面を参照しながら、本発明の一側面に係る補整衣類の好適な実施形態について詳細に説明する。
【００１７】
図１は、補整衣類の一実施形態を示す正面図である。また、図２は、図１に示した補整衣類の側面図であり、図３は、その背面図である。図１〜図３に示す補整衣類１は、ウエストニッパー或いはボディセパなどと称される衣類である。補整衣類１は、ブラジャーの下方で胴回りに装着され、着用者の腹部や腰部を引き締め、腰部周りのくびれなどを造形する機能を有している。本実施形態では、ホックレスタイプの補整衣類１を例示する。このタイプの補整衣類１は、足元から履くことで着用可能となっており、アウターウェアに影響するようなホックによる出っ張りができず、すっきりとしたボディラインを造形できる。
【００１８】
補整衣類１は、図１〜図３に示すように、着用者の胴回りを包囲可能となるように、前側部分３、左右の脇側部分４，４、及び後側部分５によって筒状をなす本体部２を備えている。着用時、本体部２の上縁部２ａは、着用者の胸部の下側付近及び肩部（肩甲骨）の下側付近に位置し、本体部２の下縁部２ｂは、着用者の下腹部（臍部の下側）付近及び腰部（骨盤の上側）付近に位置する。本体部２の外形は、人体における胸部の下側から腰部付近までの形状に合わせ、上縁部２ａから下縁部２ｂにかけて緩やかに凹状に湾曲している。すなわち、本体部２の外形は、上下方向の中央付近で緩やかに絞られていると共に、下方に向かって裾広がりとなっている（図１参照）。
【００１９】
本体部２における前側部分３の上縁部２ａには、補整衣類１の上方にブラジャーが装着されることを考慮し、図１に示すように、凹状の湾曲部分６が形成されている。凹状の湾曲部分６は、ブラジャーのバージスラインに対応するように、前中心ラインＬ１を挟んで左右対称に凹状に湾曲している。凹状の湾曲部分６の底部は、前中心ラインＬ１を挟んで一定の幅で周方向にフラットな形状となっている。また、本体部２における脇側部分４の上縁部２ａは脇高に設計されており、補整衣類１の着用時に本体部２の上縁部２ａがブラジャーにおけるカップ部下辺側のバージスラインに被さり易くなっている。かかる上縁部２ａの構成により、補整衣類１とブラジャーとの間に着用者の肌が露出することを防止できる。
【００２０】
凹状の湾曲部分６には、前中心ラインＬ１を挟んで左右対称に上縁布７が縫着されている。凹状の湾曲部分６と上縁布７との縫着部分には、伸長回復性を有するストレッチテープが設けられている。かかる上縁布７により、凹状の湾曲部分６の上側にＶ字状のラインが形成され、補整衣類１とブラジャーとの間に着用者の肌が露出することをより確実に防止できる。
【００２１】
本体部２は、周方向に交互に配置された非伸縮部１０及び伸縮部２０を備えている。非伸縮部１０の周方向の縁部と伸縮部２０の周方向の縁部とが互いに縫着されて一体化されることにより、上述した筒状の本体部２が構成されている。
【００２２】
まず、非伸縮部１０について説明する。非伸縮部１０は、少なくとも周方向について非伸縮性を有している。非伸縮部１０は、上下方向（上縁部２ａと下縁部２ｂとを結ぶ方向）については伸縮性を有していてもよく、非伸縮性を有していてもよい。非伸縮性とは、完全に伸縮しないものを指すのではなく、伸縮性の十分に小さい難伸縮性も含まれる。
【００２３】
非伸縮部１０は、第１の非伸縮部１１と、第２の非伸縮部１２と、第３の非伸縮部１３とを有している。第１の非伸縮部１１は、図１に示すように、本体部２の前側部分３における前中心ラインＬ１を含むように、上縁部２ａから下縁部２ｂにかけて帯状に延在している。本実施形態では、第１の非伸縮部１１の中心と前中心ラインＬ１とが一致しており、第１の非伸縮部１１は、前中心ラインＬ１に対して左右対称となっている。また、第１の非伸縮部１１は、細長の等脚台形状をなしており、上底の長さが下底の長さよりも長くなっている。これにより、第１の非伸縮部１１は、本体部２の下方側に向かって裾狭まりとなっている。
【００２４】
第１の非伸縮部１１は、伸縮性の表生地１１Ａと、非伸縮性の裏生地１１Ｂとによって構成されている。表生地１１Ａは、例えばツーウェイラッセル、ツーウェイトリコットなどの素材によって形成されている。また、裏生地１１Ｂは、例えばパワーネットなどの素材によって形成されている。第１の非伸縮部１１の上縁部１１ａは、本体部２の上縁部２ａにおける凹状の湾曲部分６の底部を構成している。また、第１の非伸縮部１１の下縁部１１ｂは、本体部２における前側部分３の下縁部２ｂを構成している。
【００２５】
第２の非伸縮部１２は、図２に示すように、本体部２の脇側部分４における脇中心ラインＬ２を含むように、上縁部２ａから下縁部２ｂにかけて帯状に延在している。本実施形態では、第２の非伸縮部１２は、脇中心ラインＬ２よりも僅かに前側に偏在している。第２の非伸縮部１２は、細長の台形状をなしており、下底の長さが上底の長さよりも長くなっている。また、脇中心ラインＬ２に対する前側の斜辺の傾斜角度は、脇中心ラインＬ２に対する後側の斜辺の傾斜角度よりも大きくなっている。これにより、第２の非伸縮部１２は、本体部２の下方側に向かって裾広がりとなっている。
【００２６】
第２の非伸縮部１２は、例えばワンウェイのパワーネットなどの素材によって形成されている。第２の非伸縮部１２の上縁部１２ａは、本体部２における脇側部分４の上縁部２ａを構成している。第２の非伸縮部１２の上縁部１２ａでは、生地が肌側に折り返されており、当該折り返し部分は第２の非伸縮部１２の本体部分に対し、両側部分を除いて非結合となっている。また、第２の非伸縮部１２の下縁部１２ｂは、本体部２における脇側部分４の下縁部２ｂを構成している。第２の非伸縮部１２の下縁部１２ｂには、テープ等を用いずに折り返し始末がなされている。
【００２７】
第３の非伸縮部１３は、図３に示すように、本体部２の後側部分５における後中心ラインＬ３を含むように、上縁部２ａから下縁部２ｂにかけて帯状に延在している。本実施形態では、第３の非伸縮部１３は、細長の長方形状をなし、後中心ラインＬ３に沿って一定の幅で延在している。第３の非伸縮部１３の幅は、例えば３．０ｃｍ〜６．０ｃｍとなっている。また、第３の非伸縮部１３の中心と後中心ラインＬ３とは一致しており、第３の非伸縮部１３は、後中心ラインＬ３に対して左右対称となっている。
【００２８】
第３の非伸縮部１３は、例えばワンウェイのパワーネットなどの素材によって形成されている。第３の非伸縮部１３の上縁部１３ａは、本体部２における後側部分５の上縁部２ａを構成している。第３の非伸縮部１３の上縁部１３ａでは、生地が肌側に折り返されており、当該折り返し部分は第３の非伸縮部１３の本体部分に対して非結合となっている。また、第３の非伸縮部１３の下縁部１３ｂは、本体部２における後側部分５の下縁部２ｂを構成している。第３の非伸縮部１３の下縁部１３ｂでは、生地が肌側に折り返されており、当該折り返し部分は第３の非伸縮部１３の本体部分に対して非結合となっている。
【００２９】
上述した第２の非伸縮部１２における周方向の両縁部には、図２に示すように、隣接する伸縮部２０との境界部分に沿って芯材３０，３０がそれぞれ配置されている。また、上述した第３の非伸縮部１３における周方向の両縁部にも、図３に示すように、隣接する伸縮部２０との境界部分に沿って芯材３０，３０がそれぞれ配置されている。なお、第１の非伸縮部１１と隣接する伸縮部２０との間には、芯材３０は配置されていない。
【００３０】
芯材３０は、例えば金属線を帯状に成型してなり、可撓性を有する部材である。芯材３０の両端部分は、樹脂などでラミネートされていることが好適である。芯材３０は、本体部２の厚さ方向と芯材３０の厚さ方向とが一致するように筒状のテープに挿入され、本体部２の裏側（肌側）に縫着されている。筒状のテープに挿入された芯材３０は、第２の非伸縮部１２と第１の伸縮部２１との境界部分においては、当該境界部分に沿って、第２の非伸縮部１２の裏側（肌側）に配置されている。また、筒状のテープに挿入された芯材３０は、第２の非伸縮部１２と第２の伸縮部２２との境界部分及び第３の非伸縮部１３と第２の伸縮部２２との境界部分においては、境界部分を跨ぐように、当該境界部分に沿って裏側（肌側）に配置されている。
【００３１】
なお、補整衣類１においては、上記のように芯材３０が配置されているが、芯材３０は、非伸縮部１０と伸縮部２０との境界部分に沿うものであれば、非伸縮部１０の裏側に配置されていてもよく、伸縮部２０の裏側に配置されていてもよい。また、非伸縮部１０と伸縮部２０とに跨った部分の裏側に配置されていてもよい。
【００３２】
芯材３０の上端は、本体部２の上縁部２ａまでは伸びておらず、芯材３０の上端は、上縁部２ａから一定の間隔をもって上縁部２ａよりも下側に位置している。また、芯材３０の下端は、本体部２の下縁部２ｂまでは伸びておらず、芯材３０の下端は、下縁部２ｂから一定の間隔をもって下縁部２ｂの上側に位置している。このような構成により、着用時に芯材３０が着用者の肌に当たることを抑制でき、着用感の低下を回避できる。本実施形態では、芯材３０の下端が第２の非伸縮部１２の下縁部１２ｂ及び第３の非伸縮部１３の下縁部１３ｂのそれぞれの折り返し部分よりも上側に位置している。これにより、特に着用者が着座姿勢をとった際に芯材３０が着用者の肌に当たることを抑制できる。
【００３３】
次に、伸縮部２０について説明する。伸縮部２０は、少なくとも周方向について伸縮性を有している。伸縮部２０は、上下方向（上縁部２ａと下縁部２ｂとを結ぶ方向）については伸縮性を有していてもよく、非伸縮性を有していてもよい。伸縮部２０は、伸縮性を有する表生地２０Ａと、伸縮性を有すると共に表生地２０Ａよりも大きな回復力を有する裏生地２０Ｂとによって構成されている。表生地２０Ａは、例えばツーウェイトリコットなどの素材によって形成されている。また、裏生地２０Ｂは、例えばパワーネットなどの素材によって形成されている。
【００３４】
伸縮部２０は、第１の伸縮部２１と、第２の伸縮部２２とを有している。第１の伸縮部２１は、図１及び図２に示すように、第１の非伸縮部１１と左右の第２の非伸縮部１２，１２との間で、上縁部２ａから下縁部２ｂにかけてそれぞれ帯状に延在している。本実施形態では、第１の伸縮部２１は、本体部２の下方側に向かって僅かに裾広がりとなっている。
【００３５】
第１の伸縮部２１の上縁部２１ａは、本体部２の上縁部２ａにおける凹状の湾曲部分６の脇部を構成している。また、第１の伸縮部２１の上縁部２１ａには、折り返し始末がなされている。第１の伸縮部２１の下縁部２１ｂは、第１の非伸縮部１１と第２の非伸縮部１２との間で本体部２の下縁部２ｂを構成している。
【００３６】
第１の伸縮部２１の下縁部２１ｂにおいて、裏生地２０Ｂの下縁部は、表生地２０Ａの下縁部よりも上側に位置している。裏生地２０Ｂの下縁部と表生地２０Ａの下縁部との間の間隔は、例えば第２の非伸縮部１２の下縁部１２ｂ及び第３の非伸縮部１３の下縁部１３ｂの折り返し部分の長さ程度となっている。また、裏生地２０Ｂの下縁部は、表生地２０Ａに対して非結合となっている。
【００３７】
第２の伸縮部２２は、図２及び図３に示すように、左右の第２の非伸縮部１２と第３の非伸縮部１３，１３との間で、上縁部２ａから下縁部２ｂにかけてそれぞれ帯状に延在している。本実施形態では、第２の伸縮部２２は、上下方向の中央付近で緩やかに絞られていると共に、下方に向かって裾広がりとなっている（図３参照）。
【００３８】
第２の伸縮部２２の上縁部２２ａは、第２の非伸縮部１２と第３の非伸縮部１３との間で本体部２の上縁部２ａを構成している。また、第２の伸縮部２２の上縁部２２ａには、折り返し始末がなされている。第２の伸縮部２２の下縁部２２ｂは、第２の非伸縮部１２と第３の非伸縮部１３との間で本体部２の下縁部２ｂを構成している。
【００３９】
第１の伸縮部２１の下縁部２１ｂと同様、第２の伸縮部２２の下縁部２２ｂにおいて、裏生地２０Ｂの下縁部は、表生地２０Ａの下縁部よりも上側に位置している。裏生地２０Ｂの下縁部と表生地２０Ａの下縁部との間の間隔は、例えば第２の非伸縮部１２の下縁部１２ｂ及び第３の非伸縮部１３の下縁部１３ｂの折り返し部分の長さ程度となっている。また、裏生地２０Ｂの下縁部は、表生地２０Ａに対して非結合となっている。
【００４０】
以上の構成を有する補整衣類１では、前側部分３の第１の非伸縮部１１が着用者の腹部の正面側を押さえ、脇側部分４の第２の非伸縮部１２が着用者の腹部の脇側を押さえることで、腰部周りのくびれなどが美しく造形される。また、後側部分５の第３の非伸縮部１３が着用者の背骨に沿うことで着用者の姿勢が矯正され、体型補整効果を更に際立たせることができる。また、補整衣類１では、第１の非伸縮部１１と第２の非伸縮部１２との間に配置された第１の伸縮部２１と、第２の非伸縮部１２と第３の非伸縮部１３との間に配置された第２の伸縮部２２とによって胴回りの締め付け力が緩和される。したがって、体型補整効果を維持しつつ、着心地の良さも確保できる。
【００４１】
また、補整衣類１では、第２の非伸縮部１２における周方向の縁部及び第３の非伸縮部１３における周方向の縁部において、隣接する伸縮部２０との境界部分に沿って芯材３０が配置されている。このような芯材３０の配置により、着用時の第２の非伸縮部１２及び第３の非伸縮部１３の保形性が向上し、着崩れによって体型補整効果が失われることを抑制できる。
【００４２】
また、補整衣類１では、第２の非伸縮部１２が本体部２の下方側に向かって裾広がりとなっている。これにより、第２の非伸縮部１２を着用者の腹部の脇側のライン及び腰部の脇側のラインに好適にフィットさせることができる。したがって、体型補整効果を更に向上できる。
【００４３】
また、補整衣類１では、第１の非伸縮部１１が本体部２の下方側に向かって裾狭まりとなっている。これにより、第１の非伸縮部１１によって押さえられることによる脇腹の息苦しさを緩和できる。したがって、着心地の良さを向上できる。
【００４４】
また、補整衣類１では、第３の非伸縮部１３が３．０ｃｍ〜６．０ｃｍの範囲で一定の幅で延在している。これにより、第３の非伸縮部１３を着用者の背骨のラインに好適にフィットさせることができる。したがって、体型補整効果を更に向上できる。第３の非伸縮部１３の幅が広すぎると、背骨が第３の非伸縮部１３に対してずれ易くなり、姿勢の矯正効果が損なわれるおそれがある。また、第３の非伸縮部１３の幅が狭すぎると、背骨に対する圧迫感が増し、着心地が悪化するおそれがある。したがって、第３の非伸縮部１３の幅を上記範囲とすることで、姿勢の矯正効果と着心地とを両立できる。
【００４５】
また、補整衣類１では、伸縮性を有する表生地２０Ａと、伸縮性を有すると共に表生地２０Ａよりも大きな回復力を有する裏生地２０Ｂとによって伸縮部２０が構成されている。そして、裏生地２０Ｂの下縁部は、表生地２０Ａの下縁部よりも上側に位置し、かつ表生地２０Ａに対して非結合となっている。伸縮性を有する表生地２０Ａと伸長回復性を有する裏生地２０Ｂとを組み合わせて伸縮部２０を構成することで、非伸縮部１０による体型補整効果を阻害することなく、胴回りの締め付け力を緩和できる。
【００４６】
また、裏生地２０Ｂの下縁部が表生地２０Ａの下縁部よりも上側の位置で表生地２０Ａに対して非結合となっていることで、伸縮部２０の下縁部が着用者の胴回りの形状の変化に追従し易くなる。これにより、例えば着座姿勢において腹部の肉が本体部２の下縁部２ｂからはみ出ることや、着用時に胴回りのシルエットに段が生じることを抑制できる。
【００４７】
本発明は、上記実施形態に限られるものではない。例えば上記実施形態では、第３の非伸縮部１３が一定の幅で延在しているが、３．０ｃｍ〜６．０ｃｍの範囲であり、かつ後中心ラインＬ３に対して左右対称であれば、第３の非伸縮部１３の幅が上縁部２ａと下縁部２ｂとの間で変化していてもよい。例えば第３の非伸縮部１３は、下方に向かって裾広がり又は裾狭まりであってもよい。また、第３の非伸縮部１３における周方向の縁部の形状は、後中心ラインＬ３に向かって凹状又は凸状となる湾曲形状、或いは波状などであってもよい。
【符号の説明】
【００４８】
１…補整衣類、２…本体部、３…前側部分、４…脇側部分、５…後側部分、１０…非伸縮部、１１…第１の非伸縮部、１２…第２の非伸縮部、１３…第３の非伸縮部、２０…伸縮部、２０Ａ…表生地、２０Ｂ…裏生地、２１…第１の伸縮部、２２…第２の伸縮部、３０…芯材、Ｌ１…前中心ライン、Ｌ２…脇中心ライン、Ｌ３…後中心ライン。
【図１】
0006643701.tif 000002
【図２】
0006643701.tif 000003
【図３】
0006643701.tif 000004